(57)【要約】【課題】  使用する電源の種類に応じてオートパワーオフ機能の切替が可能な再生装置を提供する。【解決手段】  ポータブルＤＶＤプレーヤ１は、ＣＰＵ４７においてＡＣプラグポートＡＣＰから電源供給を受けているかどうかを判定し、それに応じてオートパワーオフ機能を設定または解除する機能を有する。ＡＣプラグポートＡＣＰから電源供給を受けていれば、ポータブルＤＶＤプレーヤ１は、オートパワーオフ機能を解除する。ＡＣプラグポートＡＣＰから電源供給を受けていなければ、ポータブルＤＶＤプレーヤ１は、オートパワーオフ機能を設定する。【選択図】        図１
2006114170.tif 000002
【特許請求の範囲】
【請求項１】
バッテリー電源および交流電源のいずれかで記録媒体の情報を再生し、電源投入から所定時間経過後に電源を切断するオートパワーオフ機能を選択可能な再生装置であって、
前記再生装置は、録画機能を含むポータブルＤＶＤプレーヤであり、
前記交流電源の交流電力が供給される交流プラグポートと、
前記交流プラグポートから交流電力を受けているかどうかを判定する制御部と、
外部からのキー入力を受けるキー入力部とを備え、
前記制御部は、電源投入後に前記交流プラグポートから交流電力を受けていれば前記オートパワーオフ機能を解除し、電源投入後に前記交流プラグポートから交流電力を受けていなければ前記オートパワーオフ機能を設定し、前記オートパワーオフ機能の設定後からカウントアップしていくカウント値が所定の値に到達したときに電源を切断し、再生動作があれば前記カウント値をリセットし、前記キー入力部からのキー入力があれば前記カウント値をリセットする、再生装置。
【請求項２】
バッテリー電源および交流電源のいずれかで記録媒体の情報を再生し、電源投入から所定時間経過後に電源を切断するオートパワーオフ機能を選択可能な再生装置であって、
前記交流電源の交流電力が供給される交流プラグポートと、
前記交流プラグポートから交流電力を受けているかどうかを判定する制御部とを備え、
前記制御部は、電源投入後に前記交流プラグポートから交流電力を受けていれば前記オートパワーオフ機能を解除し、電源投入後に前記交流プラグポートから交流電力を受けていなければ前記オートパワーオフ機能を設定する、再生装置。
【請求項３】
前記制御部は、前記オートパワーオフ機能の設定後からカウントアップしていくカウント値が所定の値に到達したときに電源を切断する、請求項２に記載の再生装置。
【請求項４】
前記制御部は、再生動作があれば前記カウント値をリセットする、請求項３に記載の再生装置。
【請求項５】
外部からのキー入力を受けるキー入力部をさらに備え、
前記制御部は、前記キー入力部からのキー入力があれば前記カウント値をリセットする、請求項３に記載の再生装置。
【請求項６】
前記再生装置は、録画機能を含む、請求項２〜５のいずれかに記載の再生装置。
【請求項７】
前記再生装置は、ポータブルＤＶＤプレーヤである、請求項２〜６のいずれかに記載の再生装置。
【発明の詳細な説明】
【技術分野】
【０００１】
この発明は、再生装置に関し、より特定的には、バッテリー電源および交流電源のいずれかで記録媒体の情報を再生する再生装置に関する。
【背景技術】
【０００２】
一般に、ポータブルＤＶＤ（Digital Versatile Disc）プレーヤのような再生装置（録画再生装置を含む）は、バッテリー電源および交流（ＡＣ）電源のいずれかで動作する。このような再生装置は、無駄な電力消費を抑えるためにオートパワーオフ機能を備えているものが多い。
【０００３】
従来のテレビジョン受像機は、映像信号が入力されていないときには電源をオフして電力の消費を少なくするとともに、映像信号が入力されたときには自動的に電源をオンできるようにしている（たとえば、特許文献１参照）。
【０００４】
従来のコンピュータシステムは、ＤＶＤ装置の５Ｖ電源および３Ｖ電源にそれぞれスイッチ回路が設けられている。当該スイッチ回路のオン／オフはＤＶＤ再生制御プログラムによって制御され、ＤＶＤビデオ再生中には周辺デバイスに対する電源供給が遮断される（たとえば、特許文献２参照）。
【０００５】
従来のデジタルＡＶ（Audio Visual）装置は、端子のホットラインがノンアクティブであることを検出し、主電源をオフにしてパワーオンラインをノンアクティブにする（たとえば、特許文献３参照）。
【特許文献１】特開平９−３１２７８３号公報
【特許文献２】特開平１１−１７５２０５号公報
【特許文献３】特開２００３−８７６７１号公報
【発明の開示】
【発明が解決しようとする課題】
【０００６】
従来のオートパワーオフ機能を備えた再生装置は、オートパワーオフ機能の設定をセットアップ時に行なうものが多い。この場合、据え置き型ＤＶＤプレーヤのようにテレビモニターに接続してＡＣ電源を使用する際にもオートパワーオフ機能が働き、ユーザにとって使いにくいという問題があった。
【０００７】
それゆえに、この発明の目的は、使用する電源の種類に応じてオートパワーオフ機能の切替が可能な再生装置を提供することである。
【課題を解決するための手段】
【０００８】
この発明は、バッテリー電源および交流電源のいずれかで記録媒体の情報を再生し、電源投入から所定時間経過後に電源を切断するオートパワーオフ機能を選択可能な再生装置であって、さらに、録画機能を含むポータブルＤＶＤプレーヤであり、交流電源の交流電力が供給される交流プラグポートと、交流プラグポートから交流電力を受けているかどうかを判定する制御部と、外部からのキー入力を受けるキー入力部とを備える。制御部は、電源投入後に交流プラグポートから交流電力を受けていればオートパワーオフ機能を解除し、電源投入後に交流プラグポートから交流電力を受けていなければオートパワーオフ機能を設定し、オートパワーオフ機能の設定後からカウントアップしていくカウント値が所定の値に到達したときに電源を切断し、再生動作があればカウント値をリセットし、キー入力部からのキー入力があればカウント値をリセットする。
【０００９】
この発明の他の局面によれば、バッテリー電源および交流電源のいずれかで記録媒体の情報を再生し、電源投入から所定時間経過後に電源を切断するオートパワーオフ機能を選択可能な再生装置であって、交流電源の交流電力が供給される交流プラグポートと、交流プラグポートから交流電力を受けているかどうかを判定する制御部とを備える。制御部は、電源投入後に交流プラグポートから交流電力を受けていればオートパワーオフ機能を解除し、電源投入後に交流プラグポートから交流電力を受けていなければオートパワーオフ機能を設定する。
【００１０】
好ましくは、制御部は、オートパワーオフ機能の設定後からカウントアップしていくカウント値が所定の値に到達したときに電源を切断する。
【００１１】
好ましくは、制御部は、再生動作があればカウント値をリセットする。
【００１２】
好ましくは、外部からのキー入力を受けるキー入力部をさらに備える。制御部は、キー入力部からのキー入力があればカウント値をリセットする。
【００１３】
好ましくは、再生装置は、録画機能を含む。
【００１４】
好ましくは、再生装置は、ポータブルＤＶＤプレーヤである。
【発明の効果】
【００１５】
この発明によれば、使用する電源の種類に応じて、オートパワーオフ機能の切替が可能となる。
【発明を実施するための最良の形態】
【００１６】
以下、この発明の実施の形態について図面を参照して詳しく説明する。なお、図中同一または相当部分には同一符号を付してその説明は繰り返さない。
【００１７】
図１は、この発明の実施の形態によるポータブルＤＶＤプレーヤ１の概略的な構成を示したブロック図である。
【００１８】
図１を参照して、ポータブルＤＶＤプレーヤ１は、フロントエンド部１０と、バックエンド部２０と、信号処理部３０と、マルチデマルチプレクサ５０と、ＳＷＩＣ（SWitching Integrated Circuit）５１と、ＬＣＤ（Liquid Crystal Display）５２と、ＡＣプラグポートＡＣＰと、Ｓビデオ出力ポートＳＯＵＴと、ビデオ入出力ポートＶＩＤと、オーディオ入出力ポートＡＵＤと、ＨＰポートと、ＳＰポートとを備える。ポータブルＤＶＤプレーヤ１は、リモコン２００によって操作可能である。また、図１では示していないが、ポータブルＤＶＤプレーヤ１は、ＡＣプラグポートＡＣＰの他に、バッテリー電源で駆動するためのバッテリー駆動部も備えている。
【００１９】
フロントエンド部１０は、モータドライバ１１と、ローディングモーター１２と、スピンドルモーター１３と、フィードモーター１４と、ピックアップ１５とを含む。フロントエンド部１０は、ディスク１００を駆動する。
【００２０】
モータドライバ１１は、ローディングモーター１２、スピンドルモーター１３、フィードモーター１４およびピックアップ１５の動作をそれぞれ制御する。ローディングモーター１２、スピンドルモーター１３およびフィードモーター１４は、ディスク１００を回転制御する。ピックアップ１５は、駆動されたディスク１００から情報信号を読み取って再生する。なお、ピックアップ１５は、ディスク１００に情報信号を記録する（録画する）ことも可能である。
【００２１】
バックエンド部２０は、赤外線検出部２１と、マイコン２２と、フラッシュＲＯＭ（Read-Only Memory）２３と、オーディオＤＡＣ（Digital Analog Converter）２４と、ビデオドライバ２５と、ＳＤＲＡＭ（Synchronous Dynamic Random Access Memory）２６と、キー入力部３００とを含む。
【００２２】
赤外線検出部２１は、リモコン２００からの赤外線情報を読み取り、その情報を信号処理部３０に送信する。マイコン２２は、キー入力部３００からのキー入力情報を読み取り、その情報を信号処理部３０に送信する。フラッシュＲＯＭ２３は、信号処理部３０からの情報を記憶する。オーディオＤＡＣ２４は、信号処理部３０からのディジタル信号をアナログ信号に変換して、そのアナログ信号をマルチデマルチプレクサ５０に出力する。ビデオドライバ２５は、信号処理部３０からのビデオ信号を、Ｓビデオ出力ポートＳＯＵＴおよびビデオ入出力ポートＶＩＤに出力する。ＳＤＲＡＭ２６は、信号処理部２６からの情報を記憶する。
【００２３】
信号処理部３０は、ＲＦ（Radio Frequency）処理部３１と、ＦＥ（Front End）処理部３５と、ＢＥ（Back End）処理部４０と、オンチップデバッガ４６と、ＣＰＵ（Central Processing Unit）４７とを含む。オンチップデバッガ４６は、ＣＰＵ４７等の各種デバッグを行なう。
【００２４】
ＲＦ処理部３１は、ＲＦ信号処理回路３２と、サーボ信号処理回路３３とを含む。ＲＦ信号処理回路３２は、ＤＶＤにおける高周波信号の処理を行なう。サーボ信号処理回路３３は、フォーカス信号、トラッキング信号などの処理を行なう。
【００２５】
ＦＥ処理部３５は、サーボＤＳＰ（Digital Signal Processor）３６と、ＥＣＣ（Error-Correcting Code）／ＤＥＣ（Double-Error-detecting Code）３７と、ＣＰＵ３８とを含む。サーボＤＳＰ３６は、サーボ信号に関するデジタル演算処理を行なう。ＥＣＣ／ＤＥＣ３７は、１ビットのエラー訂正および２ビットのエラー検出を行なう。ＣＰＵ３８は、ＦＥ処理に関する３２ビットのＣＰＵである。
【００２６】
ＢＥ処理部４０は、ＡＶデコーダ４１と、ＮＴＳＣ（National Television Standards Committee）／ＰＡＬ（Phase Alternation by Line）エンコーダ４２とを含む。ＡＶデコーダ４１は、音声および映像に関する信号をデコードする。ＮＴＳＣ／ＰＡＬエンコーダ４２は、ＮＴＳＣ方式／ＰＡＬ方式に応じてテレビ信号をエンコードする。
【００２７】
マルチデマルチプレクサ５０は、オーディオＤＡＣ２４から出力される信号をＳＰポート、ＨＰポートおよびオーディオ入出力ポートＡＵＤに分配する。ＳＷＩＣ５１は、ビデオドライバ２５からＳビデオ出力ポートＳＯＵＴに出力される信号を受けてＬＣＤ５２に映像信号を送出するとともに、ビデオ入出力ポートＶＩＤからの信号も受ける。
【００２８】
この発明の実施の形態によるポータブルＤＶＤプレーヤ１は、ＣＰＵ４７においてＡＣプラグポートＡＣＰから電源供給を受けているかどうかを判定し、それに応じてオートパワーオフ機能を設定または解除する機能を有する。この機能を詳細について、フロー図を用いて以下に説明する。
【００２９】
図２は、この発明の実施の形態によるポータブルＤＶＤプレーヤ１のオートパワーオフ設定／解除機能の概略について示したフロー図である。
【００３０】
図２を参照して、ポータブルＤＶＤプレーヤ１は、まず、ステップＳ１において、電源投入される。次に、ステップＳ２において、ＡＣプラグポートＡＣＰから電源供給を受けているかどうかを判定する。ＡＣプラグポートＡＣＰから電源供給を受けていれば、ステップＳ３において、オートパワーオフ機能を解除する。その後、ステップＳ４において、ＤＶＤプレーヤの通常処理に移る。
【００３１】
一方、ステップＳ２でＡＣプラグポートＡＣＰから電源供給を受けていなければ、ステップＳ５において、オートパワーオフ機能を設定する。これにより、ステップＳ６において、ポータブルＤＶＤプレーヤ１は、ステップＳ５のオートパワーオフ設定から所定時間経過後にパワーオフする。このステップＳ６の詳細について、次に説明する。
【００３２】
図３は、この発明の実施の形態によるポータブルＤＶＤプレーヤ１のオートパワーオフ設定からオートパワーオフまでの動作について示したフロー図である。
【００３３】
図３を参照して、ステップＳ６１でオートパワーオフの設定が完了すると、ステップＳ６２において、オートパワーオフ設定から５０ｍｓが経過したかどうかを判定する。５０ｍｓ経過していなければ、５０ｍｓ経過するまでステップＳ６２を繰り返す。
【００３４】
ステップＳ６２で５０ｍｓ経過していれば、ステップＳ６３において、ディスク１００が再生中かどうかを判定する。ディスク１００が再生中であれば、ステップＳ６５において、ＲＳＭ（Real Storage Management）のカウントをクリア（リセット）する。ディスク１００が再生中でなければ、ステップＳ６４において、キー入力部３００からのキー入力があるかどうかを判定する。
【００３５】
ステップＳ６４でキー入力部３００からのキー入力があれば、ステップＳ６５において、ＲＳＭのカウントをクリアする。ステップＳ６５でＲＳＭのカウントをクリアした後は、ステップＳ６２に戻る。一方、ステップＳ６４でキー入力部３００からのキー入力がなければ、ステップＳ６６において、ＲＳＭのカウント値をアップさせる。
【００３６】
ステップＳ６６でＲＳＭのカウント値をアップさせた後、ステップＳ６７において、ＲＳＭカウントが規定のカウント値に到達しているかどうかを判定する。ＲＳＭカウントが規定のカウント値に到達していれば、ステップＳ６２に戻る。ＲＳＭカウントが規定のカウント値に到達していれば、ステップＳ６８において、ポータブルＤＶＤプレーヤ１はパワーオフされる。
【００３７】
以上のように、この発明の実施の形態によれば、ＡＣプラグポートから電源供給を受けているかどうかを判定し、それに応じてオートパワーオフ機能を設定または解除することによって、使用する電源の種類に応じたオートパワーオフ機能の切替が可能となる。
【００３８】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００３９】
【図１】この発明の実施の形態によるポータブルＤＶＤプレーヤ１の概略的な構成を示したブロック図である。
【図２】この発明の実施の形態によるポータブルＤＶＤプレーヤ１のオートパワーオフ設定／解除機能の概略について示したフロー図である。
【図３】この発明の実施の形態によるポータブルＤＶＤプレーヤ１のオートパワーオフ設定からオートパワーオフまでの動作について示したフロー図である。
【符号の説明】
【００４０】
１  ポータブルＤＶＤプレーヤ、１０  フロントエンド部、１１  モータドライバ、１２  ローディングモーター、１３  スピンドルモーター、１４  フィードモーター、１５  ピックアップ、２０  バックエンド部、２１  赤外線検出部、２２  マイコン、２３  フラッシュＲＯＭ、２４  オーディオＤＡＣ、２５  ビデオドライバ、２６  ＳＤＲＡＭ、３０  信号処理部、３１  ＲＦ処理部、３２  ＲＦ信号処理回路、３３  サーボ信号処理回路、３５  ＦＥ処理部、３６  サーボＤＳＰ、３７  ＥＣＣ／ＤＥＣ、３８，４７  ＣＰＵ、４０  ＢＥ処理部、４１  ＡＶデコーダ、４２  ＮＴＳＣ／ＰＡＬエンコーダ、４６  オンチップデバッガ、５０  マルチデマルチプレクサ、５１  ＳＷＩＣ、５２  ＬＣＤ、ＡＣＰ  ＡＣプラグポート、ＳＯＵＴ  Ｓビデオ出力ポート、ＶＩＤ  ビデオ入出力ポート、ＡＵＤ  オーディオ入出力ポート、１００  ディスク、２００  リモコン、３００  キー入力部。
【図１】
2006114170.tif 000003
【図２】
2006114170.tif 000004
【図３】
2006114170.tif 000005